(57)【特許請求の範囲】
【請求項１】
液体や粉粒体などの内容物を充填して周囲の全部又は一部をシールすることにより前記収容物を封入するため合成樹脂フィルム又は該フィルムにアルミ箔を積層したフィルム状シートなどのシートによって形成された使い捨て容器であって、前記シール部の一部に易開封部が形成された使い捨て容器において、前記易開封部に他のシール部のシール幅より細幅で開封させたい長さの細幅シール部を形成すると共に、当該細幅シール部に連続しかつほぼ直交する向きで前記容器の内部に延びた細幅縦シールを形成し、当該細幅縦シール部と前記細幅シール部が平面から見て略Ｔ字状をなすように形成したことを特徴とする易開封性の使い捨て容器。
【請求項２】
細幅縦シール部の延長線上、或は、縦シール部末端の近傍に、１乃至複数の点シールを形成した請求項１の易開封性の使い捨て容器。
【発明の詳細な説明】
【０００１】
【発明の属する技術分野】
本発明は液状乃至はペースト状をなす調味料、洗剤、化粧料など、或は、粉粒状などをなす内容物を充填封入してシールし、封入した内容物を取出したいときは、容器を手の掌や指で押圧することにより、前記シール部の一部にシールが剥離した開封部を形成させてその内容物を容器外に押出すことができるようにした易開封性の使い捨て容器に関する。
【０００２】
【従来の技術】
本発明の発明者は、シールの一部に易開封性の機能乃至は構造を付与した使い捨て容器について、実公平６−１９４７３号、同６−２１８６２号、同７−２３４０８号、同８−１０５６１号を始めとして、多数の特許出願、或は、実用新案登録出願による提案をしている。
【０００３】
本発明者が先に提案した易開封性の使い捨て容器は、容器に易開封機能を付与した点では、頭初の目的を達成したものであったが、易開封機能を果たすためのシール構造を具現するために必要な金型が複雑になり、その製作に手間取って高額になり、それが容器の製作コストに反映されるという問題があった。
【０００４】
また、先に提案している使い捨て容器は、易開封部のシール構造に起因し、内容物が液状のものであると、開封操作がその容器自体を指で押圧することにより内容物に開封圧力を生じさせて易開封部を開封させるようになっているため、容器が開封したとたん収容されている内容物が外部に飛出してしまうことがあるという難点もあった。
【０００５】
更には、容器に収容される液状内容物の種類によっては、当該内容物を横シール位置より高位まで充填し、液中シールを行うことがあるが、この場合に開封部位に内容物が付着するため、それが衛生面或は外見上問題となることも懸念された。
【０００６】
さらに、上記のような特殊な開封機能を具備した使い捨て容器のシール用金型は、通常シール用の金型とは別途に作製する必要があるため、この金型コストが上記の使い捨て容器のコストに反映されるという難点もあった。
【０００７】
【発明が解決しようとする課題】
本発明は本発明者が先に提案している易開封性の使い捨て容器における問題点を解決した易開封構造を具備した使い捨て容器を提供することを、その課題とするものである。
【０００８】
【課題を解決するための手段】
上記課題を解決することを目的としてなされた本発明易開封性の使い捨て容器の構成は、液体や粉粒体などの内容物を充填して周囲の全部又は一部をシールすることにより前記収容物を封入するため合成樹脂フィルム又は該フィルムにアルミ箔を積層したフィルム状シートなどのシートによって形成された使い捨て容器であって、前記シール部の一部に易開封部が形成された使い捨て容器において、前記易開封部に他のシール部のシール幅より細幅で開封させたい長さの細幅シール部を形成すると共に、当該細幅シール部に連続しかつほぼ直交する向きで前記容器の内部に延びた細幅縦シールを形成し、当該細幅縦シール部と前記細幅シール部が平面から見て略Ｔ字状をなすように形成したことを特徴とするものである。
【０００９】
上記構成において、細幅縦シール部の末端は、本発明容器における開封部の剥離開始端となる部位であるが、この縦シール部が外力などで勝手に剥離しないようにするため、本発明では前記縦シール部の延長線上、或は、縦シール部末端の近傍に、１乃至複数の点シールを形成することにより、縦シール部末端の剥離開始端部を剥離しにくくすることができる。
【００１０】
本発明において、前記縦シール部は、その先端形状を、小さな押圧力で剥離させたい場合には尖鋭に形成し、これとは逆に、大きな押圧力で剥離させたい場合には太い半円状に形成する。
【００１１】
また、上記縦シール部は、その長さを、小さな押圧力で剥離させたい場合には長目に形成し、これとは逆に大きな押圧力で剥離させたい場合には、短か目に形成するとよい。具体的には、易開封部を設けるシール部の内幅（収容室の幅）をＷとするとき、前記縦シール部の長さを、概ね１／３Ｗ〜１／数Ｗ程度、或は、それ以下、例えば１／１０Ｗ程度の範囲から選択して設定するのである。尤も、この縦シール部の長さは、本発明容器に使用する樹脂フィルム等のシートの厚さ、その材質，容器の大きさ，収容物の性状などにより、得ようとする易開封性（開封し易さ）に基づいて適宜に変更乃至は設定できること勿論である。
【００１２】
本発明において、易開封部の平面略Ｔ字状などをなすシール形状において、開封幅を規制するために、細幅シール部の長さを、開封させたい部分の幅（開封幅）と同等程度になるように形成した。これは使い捨て容器に上記各構成による易開封部を形成すると、この容器に加える手の圧力の大きさなどによっては開封された開封部分が必要以上に拡大してしまうことが考えられるからである。即ち、易開封部の細幅シール部の長さ（開封部の幅）をこのように形成すると、細幅縦シールから剥離開封が始まる易開封部は設定された長さの細幅シール部において開封が止まるので、開封幅をその位置までに規制することができる。
【００１３】
本発明において、上述した各易開封部を形成するための金型は、通常のノッチ式開封容器のシール用金型におけるシール作用部の一部を、請求項１〜４のいずれかの容器における易開封部を形成するため略Ｔ字状をなすシール作用部の一部と、交換可能に形成したものを使用することにより、金型コストの大幅な低減を図ることができる。
【００１４】
【発明の実施の形態】
次に本発明容器の実施の形態について、図に拠り説明する。図１は本発明易開封性使い捨て容器の一例の平断面図、図２は本発明容器の第二例の平断面図、図３は本発明容器の第三例の平断面図、図４は本発明容器の第四例の平断面図、図５は易開封部の開封幅を規制する細幅シール部の第一例を示す平断面図、図６は易開封部の開封幅を規制する細幅シール部の第二例を示す平断面図、図７は易開封部の開封幅を規制する細幅シール部の第三例を示す平断面図、図８は本発明容器の第八例の平断面図、図９は本発明容器の第九例の平断面図、図10は本発明容器の第十例の平断面図、図11は本発明容器の第十一例の平断面図、図12は従来の横シール用金型を本発明容器の易開封部の横シール用に改造した横シール用金型の一例の斜視図、図13は図12の金型に適用して製造した易開封部を具備した本発明容器の一例の平面図である。
【００１５】
図１〜図４において、１は、ここでは平面長方形状の本発明易開封性の使い捨て容器で、合成樹脂フィルム或は該フィルムにアルミ箔をラミネートしたもの、或は、合成樹脂フィルム同士、又は、他の材質のフィルム状のものを積層したフィルム状のシート材を２枚重ね、その周囲を一例として四角形をなすようにヒートシールなど接着手法によりシールすることにより、液状物などの内容物をこの容器１の収容部２に収容できるように形成されている。本発明においては、一枚のシール材を２つ折りにして上記の本発明容器を形成する場合もあり、その場合のシール部は２つ折りした部位を除いた三方（三辺）がシールされることとなる。
【００１６】
上記の容器１において周囲のシール部３，４，５，６のうち、シール部６に、本発明による易開封部が形成されるので、以下にこの容器１における易開封部が形成されるシール部６について説明する。なお、図示しないが一枚のシートを２つ折りした三方シールタイプの容器１では、３つのシール部位の一つに、以下に説明する易開封部が形成されることとなる。
【００１７】
前記容器１において、シール部６を除いた他のシール部３，４，５は、公知のこの種容器と同様形態のシール部であるが、シール部６は易開封部を形成するため、他のシール部３〜５に比べシール幅を細目にした細幅シール部6aを形成すると共に、この細幅シール部6aの中央部に、この容器１における収容部２の内部側に延びた細幅縦シール部6b（図では横向きに表われている）を形成することにより、易開封部を形成した。この細幅縦シール部6bにおけるその末端は、尖鋭又は角部或は円形のシール輪郭を付与することによって剥離開始部6cとして機能させる。なお、細幅シール部6aと細幅縦シール部6bのシール幅は、大きくても縦シール部6bが前記シール部6aと同等乃至はそれ6aよりも細幅に形成される。以下、細幅縦シール部6bは単に縦シール部6bという。
【００１８】
いま、図１の容器１の収容部２に、内容物の一例として液体調味料が収容され、周囲が上述した通常形態のシール部３〜５と、易開封部が形成されたシール部６とにより形成されているとき、この内容物を容器１の外に取出すには、この容器１を指で掴み、収容部２をその上下から強く押圧する。この押圧力は内容物を通してすべてのシール部３〜６に作用するが、易開封部を有するシール部６に関しては収容部２の中まで延びた縦シール部6bの末端である剥離開始部6cのシールが剥離し始める。
【００１９】
縦シール部6bの末端のシールが剥離し始めると、その剥離が縦シール部6bの根元部6dまで徐々に移動し、逐には前記根元部に続いた細幅シール部6aのシールを剥離するに至り、この部分6aにおいてこの容器１が開封されるのである。
【００２０】
図２は、易開封部となる細幅シール部6aを、その中心部近傍のみを細幅にし、外方に向うにつれて徐々に幅広くなるようにシールした例で、縦シール部6bも、図１の場合より長目に形成している。縦シール部6bが長目の方が押圧力が小さくても縦シール部6bの末端6cが剥離し易くなると共に、細幅シール部6aのシール形態が、この部6aのシール幅が外側へ行くに従って広幅となっていることにより、外側の広幅のシール部は開封され難くなるため、開封幅を規制する作用もする。
【００２１】
また、本発明では図３，図４に例示したように、縦シール部6bの幅を変えることにより、内容物を取出すための押圧力が小さ目でも開封できたり、大き目の押圧力でなければ開封できないように、容器１のシール部６を形成することができる。因みに、図３は縦シール部6bをより細幅に形成することにより、小さ目の押圧力で開封できる容器１の例であり、図４は縦シール部6bを図３の例よりも広幅に形成することにより、大き目の押圧力を作用させないと開封できないように形成した容器１の例である。なお、図１〜図４において同一符号は同一部分，同一部材を指しているものとする。
【００２２】
図３，図４の例においても、細幅シール部6aのシール形態、つまり、この部6aのシール幅が縦シール部6bを中心に左右の外側に向って徐々に広くなっていることにより、易開封部の開封幅が容器１の幅全体に及ぶことを規制する作用があるが、規制される開封幅は加えられる圧力によって一定になり難い。
【００２３】
そこで、本発明では開封幅を加えられる開封圧力の大小に拘らずほぼ一定に規制するために、図６，図７に例示する形態の細幅シール部6a′に形成した。この細幅シール部6a′は、縦シール部6bを中心にしてその左右の外側に細幅シール部6a′を、開封させたい幅（長さ）で形成し、残りの部位は通常幅のシール部６とするのである。図６と図７では、細幅シール部6aと通常幅のシール部６におけるシール幅の違いを、容器１の外周側に出すか、容器１の内部側へ出すかの例を示している。図５は容器１の外形とシール部の形態が異なる例を示したものである。なお、図５〜図７において、図１〜図４と同一符号は同一部を示すものとする。
【００２４】
上述したように本発明容器１は、その収容部２に指などによる押圧力を作用させることにより、縦シール部6bの末端6cからシール部の剥離を開始させ、その剥離を細シール部6aに及ばせることにより、容器１の開封をする機構であるため、開封を目的としない力、例えば梱包運搬時の重量などが押圧力として作用すると開封されてしまうおそれがある。
【００２５】
このような事態の発生を防ぐため本発明では、図示しないが、縦シール6bの末端6cの延長線上、或は、末端6cの近傍に少なくとも１個、或は、２個以上の点シール部を設けて、前記末端6cの易剥離性を防護するようにすることがある。
【００２６】
また、上記と同様の趣旨で本発明では、図８，図９に例示したように、易開封部が形成されるシール部６における縦シール部6bに対し、防護作用をする緩衝シール部７を収容部２の中に形成することもある。図５の例では、図１の容器１における縦シール部6bを囲むようにアーチ状のシール部7aを設け、その中心部に、前記縦シール部6bの末端6cと同じ剥離開始部として機能する縦シール部7bを形成している。図９の例では、図３，図４における縦シール部6bを覆う形態で直線状のシール部7aを設け、その中心部に縦シール部7bを形成している。
【００２７】
このように収納部２に対して二重になる易開封部を夫々に具備したシール部６，７を二段構えに設けると、仮に開封用の押圧力以外の押圧力を受けた場合には、収容部２の内側にあるシール部７が開封されるに留まるから、梱包運搬時などに重量や衝撃などによる外力を受けることがあっても、内容物が容器１の外部に洩れ出すことはなくなる。
【００２８】
図８，図９に示した封止構造は、上記の外力の作用による不測の開封を防ぐだけではなく、内容物の飛出しを防ぐ上でも有用である。即ち、容器１の開封部を易開封部による二重構造としたことにより、押圧力の作用を受けていきなり易開封部が開封してしまい内容物がそのまま容器外に押出されることがないからである。
【００２９】
上述した本発明の易開封部の構造は、例えば二液〜三液を混合してから使用する接着剤などの容器に適用しても好適である。この例について、図10，図11により説明する。図10，図11では、易開封部が形成されるシール部６を容器１のシールされた外周上の一辺に設ける点は、図１〜図７の例と同じであるが、図10，図11に示した容器１の例では、収容部２を２室又は３室に形成するため細幅シールによる区画シール部８が形成され、この細幅の区画シール部８に、先の例とほぼ同様の易開封部におけるシールの剥離開始部となる細幅の縦シール部61を形成している。容器１をこのように形成すると、図の例では一つの容器に２つの収容部21，22が、また、図示しないが３個以上の収容部が形成でき、夫々の収容部21，22に所定の内容物を収容して全てのシール部３〜６，８をシールすることにより、二種類の内容物を一つの容器11の別々の収容部21，22に収容できる。
【００３０】
そして、第一収容部21を押圧してその易開封部である縦シール部61とその両側のシール部８の一部が開封されることにより、この収容部21の内容物と第二収容部22の内容物とを混合し、この状態で第一収容部21と第二収容部22の全体を押圧して、２つのシール部6a，6bによる易開封部を具備したシール部６をその易開封部において開封することにより、二つの収容物が混合された状態の収容物が、第二収容部22におけるシール部６の開封された部分から押出されることとなる。なお、上述した二室又は多室タイプの本発明容器では、個々の収容部から個別に内容物を押出すことが可能な易開封部を設ける構造とする場合もある。また、以上において述べた本発明容器は、容器を形成するシート材の一方を硬質のものとし、この硬質シートの上に柔軟シートを重ねて周囲をシールすることにより形成される容器にも適用できること勿論である。
【００３１】
上述した本発明のシール構造は、従来公知のノッチ開封タイプの容器シール用の金型を、一例として次のように改造又は新規製造することにより、本発明容器のシール用金型として援用できるので、次にこの点について述べる。
従来のノッチ開封タイプのこの種容器において、連続充填タイプのシール用金型では、二重になった長尺シートを縦向きの上方へ間欠的又は連続的に送り乍ら、当該シートの左右側端に縦方向のシールを行うことにより、その長尺シートを筒状に形成する回転型の縦シール用金型と、前記筒状シートを予め任意に設定できる所定の縦長の収容室に区画するための回転型の横シール用金型とによりシール用金型が構成されている。
【００３２】
そこで、本発明では前記金型のうち、図12に例示した横シール用金型ＨＰにおけるシール作用凸部20aの全部又は一部をビスなどによって脱着できる構造にすると共に、取外した前記凸部に代えて、図13に例示する本発明容器１の易開封部となるシール部６と同一形状のシール作用凸部21を、先に取外したシール作用凸部20aの跡に装着するのである。図12のシール作用凸部21において、21aが細幅シール部6aに対応する部位、21bが縦シール部6bに対応する部位、21cは取付け用ビスである。このようにすると、従来容器の製造に使用できるシール用金型であっても、本発明による易開封部を有する容器１を、図13に例示したように製造することが出来るので、金型コストの低減に資するところ大である。図13において、ＣＬは連続した容器１のカットラインである。上記において、上記凸部21の上面を、既存のシール用凸部20aの上面よりわずかに低く形成することにより、凸部21がシートの易開封部が形成される部位に、既存凸部20aが前記シートの他の部位への当接圧に比べ、当接圧がわずかに低くなって当接するので、シール強度が他の部位のシール強度より低くなり、易開封部の易開封性をより確実なものにすることができる。
【００３３】
以上の説明において、易開封部が形成されるシール部６は横シール部に形成したが、易開封部は容器１における縦シール部３又は５に形成することができる。この場合においても、従来のシール用金型を上記例のように改造できることは勿論である。また、容器の形状は長方形のものしか図示していないが、本発明が適用できる容器の形状は、例示した長方形以外の多角形、或は、円形，長円形，楕円形などであってもよい。
【００３４】
【発明の効果】
本発明は以上の通りであって、易開封性機能を具備した使い捨て容器を、液体や粉粒体などの内容物を充填して周囲の全部又は一部をシールすることにより前記収容物を封入するため合成樹脂フィルム又は該フィルムにアルミ箔を積層したフィルム状シートなどのシートによって形成された使い捨て容器であって、前記シール部の一部に易開封部が形成された使い捨て容器において、前記易開封部に他のシール部のシール幅より細幅で開封させたい長さの細幅シール部を形成すると共に、当該細幅シール部に連続しかつほぼ直交する向きで前記容器の内部に延びた細幅縦シールを形成し、当該細幅縦シール部と前記細幅シール部が平面から見て略Ｔ字状をなすように形成したことにより、シール用金型の構造がきわめて簡単になってその面でのコスト低減に大幅に寄与できるのみならず、内容物の飛出し防止や開封幅の規制をすることができ、また、液中シールであっても、シール部に内容物が付着しないように封止できるという効果が得られる。
【図面の簡単な説明】
【図１】  本発明易開封性使い捨て容器の一例の平断面図。
【図２】  本発明容器の第二例の平断面図。
【図３】  本発明容器の第三例の平断面図。
【図４】  本発明容器の第四例の平断面図。
【図５】  易開封部の開封幅を規制する細幅シール部の第一例を示す平断面図。
【図６】  易開封部の開封幅を規制する細幅シール部の第二例を示す平断面図。
【図７】  易開封部の開封幅を規制する細幅シール部の第三例を示す平断面図。
【図８】  本発明容器の第八例の平断面図。
【図９】  本発明容器の第九例の平断面図。
【図10】  本発明容器の第十例の平断面図。
【図11】  本発明容器の第十一例の平断面図。
【図12】  従来の横シール用金型を本発明容器の易開封部の横シール用に改造した横シール用金型の一例の斜視図。
【図13】  図12の金型に適用して製造した易開封部を具備した本発明容器の一例の平面図。
【符号の説明】
１，11        容器
２，21，22    収容部
３〜５        シール部
６            易開封部が形成されるシール部
6a            細幅シール部
6b            縦シール部
【図１】
0003995464.tif 000002
【図２】
0003995464.tif 000003
【図３】
0003995464.tif 000004
【図４】
0003995464.tif 000005
【図５】
0003995464.tif 000006
【図６】
0003995464.tif 000007
【図７】
0003995464.tif 000008
【図８】
0003995464.tif 000009
【図９】
0003995464.tif 000010
【図１０】
0003995464.tif 000011
【図１１】
0003995464.tif 000012
【図１２】
0003995464.tif 000013
【図１３】
0003995464.tif 000014